(57)【要約】【課題】洗浄装置本体に意図しないリモコン側の識別コードが誤って設定されてしまうことのない温水洗浄装置を提供する。【解決手段】便器１２に設置される洗浄装置本体２６と、操作信号を送信し洗浄装置本体２６を遠隔操作するリモコン２８とを備えて成る温水洗浄装置において、洗浄装置本体２６が電源供給後の所定時間内における着座センサ３０からの着座検知信号に基づいて、リモコン２８に固有の識別コードを洗浄装置本体２６に設定する識別コード設定モードに移行するようになしておく。【選択図】        図２
2011069121.tif 000002
【特許請求の範囲】
【請求項１】
便器に設置される洗浄装置本体と、操作信号を送信し該洗浄装置本体を遠隔操作するリモコンとを備えて成る温水洗浄装置において、
前記洗浄装置本体が、該洗浄装置本体への電源供給後の所定時間内における着座センサからの着座検知信号に基づいて、該洗浄装置本体に対応する前記リモコンに固有の識別コードを該洗浄装置本体に設定する識別コード設定モードに移行するものとなしてあることを特徴とする温水洗浄装置。
【請求項２】
請求項１において、前記洗浄装置本体は前記リモコンからの操作信号に対応して応答信号を該リモコンに送信するものとなしてあるとともに、
該リモコンは該洗浄装置本体に固有の識別コードを該リモコンに設定するものとなしてあり、
該洗浄装置本体が前記識別コード設定モードにある間に、該リモコンが該洗浄装置本体の識別コードを該リモコンに設定するための識別コード設定モードに移行したときに、それらリモコンと洗浄装置本体とで互いの識別コードを交換し、該リモコン及び洗浄装置本体のそれぞれにおいて、互いに相手側の識別コードを自身に設定するものとなしてあることを特徴とする温水洗浄装置。
【発明の詳細な説明】
【技術分野】
【０００１】
この発明は、便器に設置される洗浄装置本体及び操作信号を送信して洗浄装置本体を遠隔操作するリモコンを備え、人体局部に洗浄水を噴射し洗浄する温水洗浄装置に関する。
【背景技術】
【０００２】
人体局部に洗浄水を噴射し洗浄する温水洗浄装置にあっては、通常、便器に設置される洗浄装置本体とは別に壁等にリモコンを設置し、使用者がリモコンを操作することによって洗浄装置本体を働かせ、洗浄その他動作をさせることが一般に行われている。
【０００３】
ところで公衆トイレ等では、トイレに複数のブースが並べて設けられ、各ブースごとに便器及び温水洗浄装置が設置される。
従来の温水洗浄装置では一般にリモコンからの操作信号が赤外線信号として洗浄装置本体側に送信される方式であり、この場合赤外線はブースの壁を透過できないために、あるブース内のリモコンからの信号が他の別のブース内の洗浄装置本体側で受信されてしまうといったことは通常は起り難い。
【０００４】
ところが赤外線による通信方式の場合、リモコンから発せられた赤外線のみならず、ブースの壁からの反射光等も洗浄装置本体の受信部に入射することから、壁の材質とか色とかによって洗浄装置本体側での受信状態が変化し、通信の信頼性の点で今一つ十分でないといった問題がある。
【０００５】
そこでリモコンと洗浄装置本体との間の通信を電波による通信とすることが考えられる。
このようにした場合、ブースの壁の材質とか色による影響を排除でき、また電波による通信では赤外線による通信の場合のように指向性が求められないので、リモコンを必ずしも便器に向けた状態に設置しなくてもよく、リモコンの設置の向き等の自由度が高くなる外、消費電流も少なくて済み、更に場合によってブースの外からでもリモコン操作によってブース内の洗浄装置本体を動作させられるといった利点が得られる。
【０００６】
一方で電波による通信方式の場合、電波がブースの壁を透過してしまうことから、あるブース内でリモコン操作されたときに、そのリモコンからの操作信号が他の別のブース内の洗浄装置本体で受信されてしまう混信の問題が大きな問題となる。
【０００７】
従って、同じブース内にあるリモコンと洗浄装置本体とを識別コードにて１対１に対応付けしておくこと、即ち同じブース内にあるリモコンに固有の識別コード（ＩＤコード）を付与しておき、洗浄装置本体側にそのリモコンの識別コードを記憶し設定しておいて、リモコンから操作信号とともに識別コードを送信し、そして送信された識別コードが洗浄装置本体側に予め設定してある識別コードと合致したときにのみ、洗浄装置本体側でリモコンからの操作信号を受け付けるようになしておくといったことが必要となる。
【０００８】
従来において、洗浄装置本体側にリモコンの識別コードを設定するための方法として、洗浄装置本体に電源供給されたところで洗浄装置本体、詳しくはその制御部を識別コード設定モードに移行させ、そして所定時間内にリモコンから識別コード設定の実行信号と識別コードとが送られたところで、洗浄装置本体側で識別コードを設定し記憶するといった方法が下記特許文献１に開示されている。
また他の方法として、洗浄装置本体に備えた操作スイッチを長押しする等通常の操作とは異なった操作を行うことによって、洗浄装置本体を識別コード設定モードに移行させるといった方法が知られている。
【０００９】
しかしながら前者の場合、例えば停電後の停電復帰によって各ブースの洗浄装置本体が一斉に電源供給されたような場合、各洗浄装置本体が全て識別コード設定モードに移行してしまい、このとき、たまたまあるブース内のリモコンから上記の識別コード設定の実行信号が識別コードとともに送信されて、それが別のブース内の洗浄装置本体に受信されると、洗浄装置本体が本来の相手側の同じブース内のリモコンとは別のリモコンの識別コードを設定してしまうといった問題が生ずる。
【００１０】
更に洗浄装置本体が停電復帰によって自動的に一定時間識別コード設定モードに移行してしまうと、その間同じブース内のリモコンを使用者が操作しても、洗浄装置本体が操作信号に対応した動作を行わない状態、即ちリモコンの操作信号を洗浄装置本体側が受け付けず、リモコンの通常の操作が効かない状態が生じてしまうといった不都合が生じる。
【００１１】
他方後者の場合には、公衆トイレ等で使用者により操作スイッチが悪戯されたとき等に、意図せず洗浄装置本体が識別コード設定モードに移行してしまって、洗浄装置本体が意図していない識別コードを設定してしまう可能性がある。
【００１２】
ところで、電波通信の場合にはリモコンと対応する機器本体との間で双方向通信が行われるのが一般で、温水洗浄装置においてもリモコンと洗浄装置本体との間でこのような双方向通信、具体的にはリモコンから洗浄装置本体に向けて信号を送信するとともに、洗浄装置本体からこれに対応した応答信号をリモコンに向けて送信するようになしておくのが好都合である。このようにしておけばリモコンからの操作信号が洗浄装置本体側で受信されたことを確認することができる。
【００１３】
但しこの場合、洗浄装置本体側にも固有の識別コードを付与しておいて、その識別コードをリモコン側においても設定し記憶しておくことが必要であり、洗浄装置本体及びリモコンのそれぞれにおいて、どのようにして互いの識別コードを設定するかが問題となる。
【００１４】
尚、以上の問題はリモコンと洗浄装置本体との間で電波通信が行われる場合に特に大きな問題となるが、赤外線その他の通信方式の場合においても電波通信の場合ほどではないが同様の問題は内在する。
【００１５】
本発明に対する先行技術として、下記特許文献２に、特定の操作スイッチと着座センサの組合せ信号により、具体的には通常は使用者が便座に着座した状態で操作する「止」スイッチに対する特定の操作と、着座センサによる着座無し信号とによって、洗浄装置本体を識別コード設定モードに移行させ、リモコンの識別コードを洗浄装置本体に設定する点が開示されている。
但しこの特許文献２に開示のものは洗浄装置本体をスイッチ操作によって識別コード設定モードに移行させるものであり、その手法において本発明とは異なった別異のものである。
【先行技術文献】
【特許文献】
【００１６】
【特許文献１】特開２００５−１８４１１５号公報
【特許文献２】特開平１１−１４０９４２号公報
【発明の概要】
【発明が解決しようとする課題】
【００１７】
本発明は以上のような事情を背景とし、洗浄装置本体に意図しないリモコン側の識別コードが誤って設定されてしまうことのない温水洗浄装置を提供することを目的とする。
【課題を解決するための手段】
【００１８】
而して請求項１のものは、便器に設置される洗浄装置本体と、操作信号を送信し該洗浄装置本体を遠隔操作するリモコンとを備えて成る温水洗浄装置において、前記洗浄装置本体が、該洗浄装置本体への電源供給後の所定時間内における着座センサからの着座検知信号に基づいて、該洗浄装置本体に対応する前記リモコンに固有の識別コードを該洗浄装置本体に設定する識別コード設定モードに移行するものとなしてあることを特徴とする。
【００１９】
請求項２のものは、請求項１において、前記洗浄装置本体は前記リモコンからの操作信号に対応して応答信号を該リモコンに送信するものとなしてあるとともに、該リモコンは該洗浄装置本体に固有の識別コードを該リモコンに設定するものとなしてあり、該洗浄装置本体が前記識別コード設定モードにある間に、該リモコンが該洗浄装置本体の識別コードを該リモコンに設定するための識別コード設定モードに移行したときに、それらリモコンと洗浄装置本体とで互いの識別コードを交換し、該リモコン及び洗浄装置本体のそれぞれにおいて、互いに相手側の識別コードを自身に設定するものとなしてあることを特徴とする。
【発明の作用・効果】
【００２０】
以上のように本発明は、洗浄装置本体が電源供給後に直ちに識別コード設定モードに移行せず、電源供給後の所定時間内における着座センサからの着座検知信号に基づいて、対応するリモコンに固有の識別コードを洗浄装置本体に設定する識別コード設定モードに移行するものとなしたものである。
【００２１】
本発明によれば、例えば停電後における停電復帰によって洗浄装置本体が自動的に識別コード設定モードに移行してしまうといったことがなく、作業者が洗浄装置本体を識別コード設定モードに移行させる積極的な意志をもって便座に着座し、或いは着座検知センサに手等をかざす行為を行うことにより、着座センサから着座検知信号を発信させることによって、そこで始めて洗浄装置本体を識別コード設定モードに移行させる。
【００２２】
従って、洗浄装置本体が意図していないリモコンの識別コードを誤って設定してしまうといったことを有効に防止することができ、本来の相手側である同じブース内のリモコンの識別コードを洗浄装置本体に設定し記憶させることができる。
【００２３】
例えば便器によっては、便器前方に使用者が立つと人体検知センサがこれを検知して、自動的に便蓋を開けるようになすものがあり、この場合人体検知センサからの信号と洗浄装置本体の電源立上り（電源供給）との組み合せによって洗浄装置本体を識別コード設定モードに移行させるようにするといったことも考えられるが、このようにした場合、使用者が識別コード設定モードに移行させることを意図していなくても、たまたま便器前方に使用者が立ってしまうと人体検知センサがこれを検知してしまうことがあり、確実性の点で不十分である。
【００２４】
これに対し着座センサは通常便蓋の内側にあって、便蓋が開いていないと着座検知しないため、より確実に使用者の意図に基づいて洗浄装置本体を識別コード設定モードへと移行させることができる。
【００２５】
また本発明は、洗浄装置本体側に識別コード設定モードに移行させるためのスイッチを特に備えていなくても洗浄装置本体を識別コード設定モードに移行させ、識別コード設定を行わせることができる利点を有する。
尚本発明は電波通信を行う場合に適用して効果が大であるが、赤外線その他の通信方式を用いた温水洗浄装置においても適用可能である。
【００２６】
次に請求項２は、洗浄装置本体を、リモコンからの操作信号に対応して応答信号をリモコンに送信し、またリモコンは洗浄装置本体に固有の識別コードを自身に設定するものとなし、そして洗浄装置本体が識別コード設定モードにある間に、リモコンが洗浄装置本体の識別モードを設定するための識別コード設定モードに移行したときに、それらリモコンと洗浄装置本体とで互いの識別コードを交換し、リモコン及び洗浄装置本体の夫々において互いに相手側の識別コードを自身に設定するようになしたものである。
【００２７】
このようにすることで洗浄装置本体，リモコンのそれぞれにおいて意図せず互いに相手側とは別の識別コードを誤って設定してしまうのを有効に防止し、洗浄装置本体，リモコンのそれぞれにおいて本来の相手側の識別コードを確実に設定することができる。
【図面の簡単な説明】
【００２８】
【図１】本発明の一実施形態である温水洗浄装置を備えた便器を各ブースに設置したトイレの全体図である。
【図２】図１のブース内に設置した便器及び温水洗浄装置の図である。
【図３】同実施形態の要部の図である。
【図４】同実施形態における洗浄装置本体側の識別コード設定の実行手順を示すフローチャートである。
【図５】同実施形態におけるリモコン側の識別コード設定の実行手順を示すフローチャートである。
【発明を実施するための形態】
【００２９】
次に本発明の実施形態を図面に基づいて詳しく説明する。
図１において、１０はトイレ内に並んで設けられたブースで、各ブース１０のそれぞれの内部に便器１２が設置されている。
図２は、各ブース１０内に設置された便器１２を温水洗浄装置とともに示している。
図に示しているように便器（洋風便器）１２は、便器本体１４と、便座１６と、便蓋１８及び洗浄タンク２０を有している。
２２は洗浄タンク２０におけるタンクカバーで、その内部に洗浄水を貯えるインナタンク（図示省略）が収容されている。
【００３０】
便器１２には、人体局部に洗浄水を噴射し洗浄する一対の洗浄ノズル２４と温水を洗浄ノズル２４に供給するポンプ等を備えた洗浄装置本体２６が一体に組み込まれている。
また壁Ｗには洗浄装置本体２６とともに温水洗浄装置を構成するリモコン２８が設置されている。
ここでリモコン２８は洗浄装置本体２６に操作信号を発信し、洗浄装置本体２６を遠隔操作する。
【００３１】
洗浄装置本体２６にはまた、便蓋１８開状態の下で便座１６への使用者の着座を検知する着座センサ３０が備えられている。
更に洗浄装置本体２６には、上記のポンプその他の機能部を動作制御するマイコンを主要素とした制御部３２（図３参照）が備えられている。
【００３２】
一方リモコン２８には、洗浄装置本体２６側の各動作を行わせるための複数のスイッチを備えた操作部３４が設けられている。
この操作部３４には、洗浄ノズル２４からの洗浄水の噴射その他動作を停止させる止スイッチ３６が備えられている。
【００３３】
リモコン２８にはまた、操作信号を洗浄装置本体２６に送信する送信部３８、及び洗浄装置本体２６から送信された信号を受信する受信部４０が設けられており、更に送信部３８からの送信制御を行うマイコンを主要素とした制御部４１が備えられている。
一方洗浄装置本体２６には、リモコン２８からの信号を受信する受信部４２、更にリモコン２８に信号を送信する送信部４４が設けられている。
【００３４】
本実施形態において、リモコン２８と洗浄装置本体２６との間の通信は電波通信とされている。
即ちリモコン２８からは各種信号が電波で送信され、また洗浄装置本体２６から信号が電波でリモコン２８に送信される。
【００３５】
ところでこのような電波通信の場合、リモコン２８，洗浄装置本体２６からの電波信号はブース１０の壁を透過してしまう。
従ってあるブース内のリモコン２８，洗浄装置本体２６からの電波信号が、他の別のブース内の洗浄装置本体２６やリモコン２８に達してしまう。
【００３６】
このとき、あるブース内のリモコン２８からの信号によって他の別のブース内の洗浄装置本体２６が動作してしまわないように、また他のブース内の洗浄装置本体２６からの信号を、あるブース内のリモコン２８が受信してしまわないように、同じブース１０内のリモコン２８と洗浄装置本体２６とで、相互の識別コード（ＩＤコード）を設定しておき、同じブース１０内のリモコン２８と洗浄装置本体２６との間でのみ信号が授受されるようになしておく。
【００３７】
本実施形態においては、洗浄装置本体２６側におけるリモコン２８の識別コードの設定、及びリモコン２８側における洗浄装置本体２６の識別コードの設定を以下のようにして行う。
即ち、図２におけるコンセント４６へのプラグ４８の差込みにより或いは電源スイッチのオン操作により、洗浄装置本体２６に電源供給されてその後の所定時間内における着座センサ３０からの着座検知信号に基づいて、洗浄装置本体２６が、詳しくは洗浄装置本体２６の制御部３２がリモコン２８の識別コードを設定するための識別コード設定モードに移行する。
【００３８】
そして洗浄装置本体２６が識別コード設定モードにあるときに、リモコン２８が、洗浄装置本体２６の識別コードを設定するための識別コード設定モードに移行したときに、互いの識別コード情報の交換によって、洗浄装置本体２６がリモコン２８の識別コード設定し、またリモコン２８が洗浄装置本体２６の識別コードを設定する。
【００３９】
図４及び図５に、その際の具体的な実行手順が示してある。
ここでは洗浄装置本体２６における制御部３２のマイコンがイニシャル動作の完了を待ってマイコン入力に５Ｖを検出すると（ステップＳ１０，Ｓ１２）ステップＳ１４に移行し、着座センサ３０が着座検知したか否かを判定する。
【００４０】
このステップＳ１４で、着座センサ３０が着座を１０秒連続して検知したと判定した場合、ステップＳ２０に移行するようになしても良いが、この実施形態では続いてステップＳ１６に移行し、着座センサ３０がその後５秒着座非検知であるか否か判定する。
尚ステップＳ１４において、着座センサ３０が１０秒連続して着座を検知しなかった場合にはステップＳ２４へと移行して通常モードを実行する。即ち電源供給後の所定時間内に着座検知しなかった場合には、洗浄装置本体２６は識別コード設定モードに移行せずに通常モードを実行する。
尚ここでは電源供給後の所定時間が１０秒としてあるが、勿論これを他の時間に設定しておくこともできる。
【００４１】
ステップＳ１６における判定の結果、着座センサ３０が５秒着座非検知であったときには次のステップＳ１８に移行し、そこで再び着座センサ３０の入力判定が行われる。
詳しくは着座センサ３０がその後５秒着座検知したか否かが判定され、その結果５秒の着座検知があったときには、そこで初めてステップＳ２０のペアリングモードへと移行する。
尚ステップＳ１６において５秒着座非検知と判定されず、またステップＳ１８において５秒着座検知と判定されなかったときには、それぞれステップＳ２４に移行して通常モードが実行される。
【００４２】
本実施形態において、着座センサ３０による１０秒の着座検知、それに続く５秒の着座非検知、更にこれに続く５秒の着座検知のそれぞれの条件を満たすことによって、そこで初めてステップＳ２０のペアリングモードに移行するのは、洗浄装置本体２６側において誤った識別コードを設定してしまわないようにするためである。
【００４３】
１０秒間の着座検知と、その後の５秒間の着座非検知、更にその後の５秒間の着座検知の条件を満たすのは偶然によっては起り得ず、作業者が積極的にその意志を持って着座センサ３０に着座検知させることで初めて起り得ることであり、従ってこのようなステップを経ることでペアリングモードに移行するようにしておくことで、誤った識別コードを設定してしまうのを確実に防止できる。
尚ステップＳ１４，Ｓ１６，Ｓ１８における１０秒，５秒，５秒の各数値はあくまで一例で、それぞれの検知若しくは非検知の時間を他の時間に設定することも可能である。
【００４４】
このペアリングモードは、洗浄装置本体２６がリモコン２８の識別コードを設定するための識別コード設定モードに移行し、そしてその識別コード設定モードにあるときに、リモコン２８側において洗浄装置本体２６の識別コードをリモコン２８に設定するための識別コード設定モードに移行したときに、洗浄装置本体２６とリモコン２８とで互いの識別コードを交換するモードで、洗浄装置本体２６はその交換によりリモコン２８の識別コードを自身に設定する。
詳しくはリモコン２８から送信される識別コード設定の実行信号及び識別コードに基づいて洗浄装置本体２６の制御部３２にリモコン２８の識別コードを記憶し設定する。
尚リモコン２８側における識別コード設定モードへの移行については後述する。
【００４５】
そして洗浄装置本体２６とリモコン２８との間で識別コードの情報交換に成功したとき、又は何等かの障害によって識別コードの情報交換を行えないまま６０秒経過したときには、ステップＳ２４の通常モードへと移行する。
【００４６】
この通常モードでは、リモコン２８からの操作信号をリモコン２８の識別コードとともに洗浄装置本体２６で受信すると、洗浄装置本体２６側でその操作信号に応じた洗浄動作その他の動作を行う。
一方ステップＳ２２において識別コードの交換が成功せず、また６０秒も経過していないときには、再びステップＳ２０に戻ってこれを実行する。
【００４７】
一方図５は、リモコン２８側における識別コード設定の手順を示している。
図に示しているようにリモコン２８側においては、リモコン２８が通常モードにある状態で、例えば止スイッチ３６を１０秒連続して押し続けると（ステップＳ２６，Ｓ２８）、そこでリモコン２８の制御部４１がステップＳ３０のペアリングモードに移行する。
【００４８】
このリモコン２８側におけるペアリングモードへの移行が、洗浄装置本体２６側においてペアリングモードへの移行後６０秒以内に行われたときには、洗浄装置本体２６とリモコン２８との間で互いの識別コードを情報交換する。
そして洗浄装置本体２６からの識別コード設定の実行信号及び識別コードに基づいてリモコン２８の制御部４１に洗浄装置本体２６の識別コードを設定する。
【００４９】
そしてリモコン２８側において、その情報交換が成功したとき、又は情報交換されないまま１０秒経過したときには、ステップＳ２６に戻って後続の各ステップが再び実行される。
一方識別コードの交換が成功せず、また１０秒経過していないときにはステップＳ３０に戻って、再びステップＳ３０が実行される。
【００５０】
以上のような本実施形態によれば、洗浄装置本体２６が意図していないリモコン２８の識別コードを誤って設定してしまうといったことを有効に防止することができ、本来の相手側である同じブース１０内のリモコン２８の識別コードを洗浄装置本体２６に設定し記憶させることができる。
【００５１】
また本実施形態によれば、洗浄装置本体２６側に識別コード設定モードに移行させるためのスイッチを特に備えていなくても、洗浄装置本体２６を識別コード設定モードに移行させ、識別コード設定を行わせることができる。
【００５２】
また本実施形態によれば、洗浄装置本体２６，リモコン２８のそれぞれにおいて、意図せず互いに相手側とは別の識別コードを誤って設定してしまうのを有効に防止し、洗浄装置本体２６，リモコン２８のそれぞれにおいて本来の相手側の識別コードを確実に設定することができる。
【００５３】
以上本発明の実施形態を詳述したがこれはあくまで一例示であり、本発明は場合によってリモコンと洗浄装置本体とで赤外線通信を行う場合においても適用可能である等、本発明はその趣旨を逸脱しない範囲において種々変更を加えた形態で構成可能である。
【符号の説明】
【００５４】
１２  便器
２６  洗浄装置本体
２８  リモコン
３０  着座センサ
【図１】
2011069121.tif 000003
【図２】
2011069121.tif 000004
【図３】
2011069121.tif 000005
【図４】
2011069121.tif 000006
【図５】
2011069121.tif 000007